(57)【要約】【課題】鉢植えの植物などを収納・運搬するための、収納物の安定性がよく、緩衝性があり、かつフィルム製手提げのように保管時にかさばらず組み立てが容易な運搬用容器を得ることを課題とする。【解決手段】この発明の運搬用容器は、方形の底板１の対向する２縁にそれぞれ折り目を介して側板３を連設し、他の対向する２縁に折り目を介して正面板５及び背面板６を連設し、前記側板の両側縁と正面板及び背面板の両側縁との間を補助片７で連結し、この補助片には前記底板の頂点から４５度の角度で折り目９を形成し、前記正面板及び背面板には提げ手１３を取り付けて構成する。【選択図】　図１
2004026231.tif 000002
【特許請求の範囲】
【請求項１】
方形の底板の対向する２縁にそれぞれ折り目を介して側板を連設し、他の対向する２縁に折り目を介して正面板及び背面板を連設し、前記側板の両側縁と正面板及び背面板の両側縁との間を補助片で連結し、この補助片には前記底板の頂点から４５度の角度で折り目を形成し、前記正面板及び背面板には提げ手を取り付けた、運搬用容器
【請求項２】
正面板及び背面板の高さは、側板よりも高く形成した、請求項１記載の運搬用容器
【請求項３】
側板の上縁には蓋片を連設した、請求項１又は２に記載の運搬用容器
【発明の詳細な説明】
【０００１】
【産業上の利用分野】
この発明は、鉢植えの植物やフラワーアレンジメント、ケーキ（特にデコレーションケーキ）、酒類などの購入者が、店から持ち帰るときに商品を包装し、運搬するために使用する運搬用容器に関するものである。
【０００２】
【従来の技術】
従来、鉢植えの植物を購入者が持ち帰る際、表裏の合成樹脂フィルムを張り合わせた扁平な手提げ袋に入れて運搬するのが一般的であり、ケーキ、酒類も同様である。
【０００３】
【発明が解決しようとする課題】
鉢植えの植物をフィルム製の手提げ袋に収納する場合、鉢植えが１鉢であれば安定よく収納して運搬することもできる。しかしながら、フィルム製の手提げ袋は扁平であって底が不安定であるために、２鉢以上を収納した場合には中で鉢同士がぶつかり合ってしまい、鉢が損傷するおそれがある。
また、ケーキの包装箱のように底面積が大きいものを収納するときは、必要な底面積を得るために、大きな袋が必要であり、しかも安定した収納状態を得ることはできない。
更に、フィルム製の手提げ袋は緩衝性がないので、衝撃から内容物を保護することができない。そのために、手提げ袋をコンクリートの壁にぶつけたり、不用意に舗装された路面に置いたりすると、衝撃で鉢が壊れたり、酒類のビンが壊れたりするおそれがある。
そこで、収納物の安定性がよく、緩衝性があり、かつフィルム製手提げのように保管時にかさばらず組み立てが容易な運搬用容器が望まれていた。
【０００４】
【課題を解決するための手段】
この発明の運搬用容器は、方形の底板の対向する２縁にそれぞれ折り目を介して側板を連設し、他の対向する２縁に折り目を介して正面板及び背面板を連設し、前記側板の両側縁と正面板及び背面板の両側縁との間を補助片で連結し、この補助片には前記底板の頂点から４５度の角度で折り目を形成し、前記正面板及び背面板には提げ手を取り付て構成する。
前記正面板及び背面板の高さは、側板よりも高く形成したり、側板の上縁には蓋片を連設したりすることができる。
素材は、ボール紙、薄手の段ボールなどの紙のほか、合成樹脂シート、プラスチック段ボールなど、折り目加工ができ、折り曲げ可能であれば適宜選択することができる。鉢植えや酒類など、緩衝性が要求されるものを収納する場合は、段ボールなど緩衝性の高い材質を、また重いものを収納する場合は合成のある材質を、更に鉢植えやフラワーアレンジメントのような水気のあるものを収納する場合は防水性・耐水性のある材質を使用することが望ましい。
【０００５】
【作用】
この発明の運搬用容器は、保管時には正面板と背面板を水平に開き、側板及び連結板を底板又は正面板、背面板の上に重ね合わせることにより、扁平な体裁となる。
使用時には正面板と背面板を立ち上がらせると、連結板が屈曲し、それに伴い側板が立ち上がるので、上方が開いた容器となる。
この状態で物品を収納し、提げ手を持って容器を吊り下げると、正面板と背面板は上方へ引っ張られ、収納物の重量によって底板は下方へ押し下げられるので、側板及び正面板、背面板は立ち上がった状態で安定する。
そして、側板に蓋板を連設した場合は、蓋板を被せることにより上方を閉鎖することができ、宅配便などによる輸送用の容器としても使用できる。
【０００６】
【発明の実施の形態】
図において、長方形の底板１の対向する両長縁に、それぞれ折り目２を介して側板３を連設し、対向する両短縁にそれぞれ折り目４を介して正面板５，背面板６を連接する。図においては正面板５，背面板６の高さを前記側板３の高さよりも高くし、折り畳み時の面積を可及的に小さくしつつ、背の高い物を安定して収納できるようにしてある。
【０００７】
前記側板３の両側縁と正面板５、背面板６の側縁との間に連結片７を設ける。そして、前記側板３の側縁に折り目８を形成し、連結片７には前記側板３の頂点から前記折り目８と４５度をなす折り目９を形成する。
図においては、前記連結片７の前記折り目８の対向縁に補強片１０を連設し、この補強片１０の一側を前記正面板５，背面板６に連設されたのクルミ片１１、１２でクルミ込み、糊付け固着してある。
上記補強片１０の構成により、正面板５，背面板６の立ち上がり動作が連結片７を介して側板３に伝わるようになっている。
なお、上記のように補強片１０を設けずに、連結片７の前記折り目９よりも正面板５，背面板６よりの部分を、正面板５，背面板６の内側面に糊付け固着してもよい。
【０００８】
前記正面板５，背面板６の上縁には前記クルミ片１１，１２が連設してあり、クルミ片１１，１２の内側面と前記補強片１０は糊付け固着してある。そして、該部には提げ手１３となる紐を挿通するための孔１４が２つ設けてある。
図中符号１５は一方の側板の上縁に折り目を介して連設した蓋片である。
【０００９】
この実施形態に示す運搬用容器は、展開図に示すように、略長方形用紙から得ることができる。なお、素材は、ボール紙、薄手の段ボールなどの紙のほか、合成樹脂シート、プラスチック段ボールなど、折り目加工ができ、折り曲げ可能であれば適宜選択することができる。鉢植えや酒類など、緩衝性が要求されるものを収納する場合は、段ボールなど緩衝性の高い材質を使用することが望ましい。
なお、紙を使用すると、印刷が容易である。
また、前記提げ手は紐に限られるものではなく、硬質プラスチックの提げ手を取り付けてもよい。そして、提げ手の上下寸法は収納するものを考慮して選定する。
【００１０】
以下、この運搬用容器の使用方法を説明する。
この容器は、保管時には図２に示すように、正面板５，背面板６を水平に開き、底板３の上に側板３を重ね、正面板５，背面板６の上に連結片７を重ねて扁平な状態とする。
したがって、保管時には容積が小さく、保管場所は狭くて足りる。
【００１１】
使用時には、図１に示すように正面板５と背面板６を立ち上がらせる。正面板５と背面板６を立ち上がらせると、その動きが連結板７に伝わり、連結板７は折り目９から折り曲げられ、次いで折り目８で側板３が折り曲がる。そして、正面板５と背面板６が完全に立ち上がると、側板３も完全に立ち上がり、箱が得られる。
ただし、この状態では箱の状態として固定されておらず、正面板５，背面板６から手を離すと各板は水平方向へ戻ろうとして変形するので、放置すると箱形は壊れる。
【００１２】
前記箱形が得られたとき、底板１上に収納物１６を載せて、提げ手１３をつかんで引き上げる。この操作により、正面板５，背面板６は上方へ引き上げられると共に、底板１は収納物１５の重量により下向きの力が掛かる。したがって、正面板５，背面板６は立ち上がり状態が維持され、これに伴い側板３も立ち上がり状態が維持される。その結果、何ら固定具や箱形を維持するための係止構造を用いることなく箱形状態が維持されることとなる。
また、蓋片１５を設けておけば、上方を閉塞することができるので、収納物が外から見えず、また蓋付きの箱となるから宅配便などによる輸送用の容器としても使用することができる。
なお、底板１上に収納物の底部形状に対応した凹部を有する台座を載せることもできる。
【００１３】
【発明の効果】
この発明によれば、保管時には扁平で、簡便な操作で箱状をなす運搬用容器を得ることができる。そして、底板が存在するので、複数個の鉢植えや底面積の広いデコレーションケーキの包装箱などを安定して収納、運搬することができる。また、緩衝性のある材質で構成することによって、フィルム製の手提げ袋にはない緩衝性を得ることができ、鉢やビンを損傷するおそれなく運搬することができる。
【図面の簡単な説明】
【図１】この発明実施形態の組み立て途中の斜視図
【図２】同じく展開図
【図３】同じく畳んだ状態の平面図
【図４】同じく使用状態の端面図
【符号の説明】
１　　　底板
２　　　折り目
３　　　側板
４　　　折り目
５　　　正面板
６　　　背面板
７　　　連結片
８　　　折り目
９　　　折り目
１０　　補強片
１１，１２　　クルミ片
１３　　提げ手
１４　　孔
１５　　蓋片
【図１】
2004026231.tif 000003
【図２】
2004026231.tif 000004
【図３】
2004026231.tif 000005
【図４】
2004026231.tif 000006